(57)【特許請求の範囲】
【請求項１】
通常圧力で作動する安全装置を備え、浴槽エプロンの裏側に設置される温水タンクにおいて、前記安全装置からの逃がし湯が、前記エプロンの反対側へ噴出されるように設置したことを特徴とする温水タンクの設置構造。
【請求項２】
異常圧力で作動する安全装置を備え、浴槽エプロンの裏側に設置される温水タンクにおいて、前記安全装置からの逃がし湯が、前記エプロン側へ噴出されるように設置したことを特徴とする温水タンクの設置構造。
【請求項３】
浴槽ユニットの床または壁に開口部または凹部を設け、該開口部または凹部に、圧力に対する安全装置を備えた温水タンクの一部または全部が挿入される温水タンクの設置構造において、前記開口部または凹部は、中心軸線に対し左右対称形をなす平面形状に形成されているとともに、前記温水タンクの安全装置は、前記開口部または凹部の平面と直交する前記中心軸線上の面に対し左右対称な方向に向くように設けられていることを特徴とする温水タンクの設置構造。
【発明の詳細な説明】
【０００１】
【産業上の利用分野】
この発明は、温水タンクの設置構造に関するものである。
【０００２】
【従来の技術及びその課題】
従来、水栓金具への湯の供給は、浴室から離れた場所に設置された給湯器から行われているが、給湯器と浴室が離れているため、水栓金具の蛇口をひねってもすぐに湯が出なく、また、給湯器が燃焼を開始して温度が上がるまでの間は、配管内の冷水が水栓金具から吐出されてしまうという問題点があった。
また、従来、浴室の天井裏空間に温水保温タンクを設けて、給湯器からの給湯を温水保温タンクを介して水栓金具に供給するような構造のもの（特開平７−２７５１５１号公報）が存在するが、天井裏から水栓金具までは距離が遠く、蛇口をひねった時に、初期には水栓金具までの配管中の冷水が吐出されるという問題点があり、また、天井まで配管を立ち上げる分、配管の長さが長くなってしまうという問題点があった。
このような問題点を解決するために、発明者らは既に特願平１０−２０１１９８号として、浴室の床または壁に、タンク用の開口部と、それを塞ぐ蓋を設けて、この開口部付近の床下，壁裏に温水タンクを設置する構造を出願しているが、従来では、温水タンクに設けられている安全装置の作動上問題があったり、また温水タンクの圧力の異常を良好に発見しにくいという問題点があった。
【０００３】
【課題を解決するための手段】
本発明は上記従来の問題点に鑑み案出したものであって、安全装置を安全な場所に設置でき、また、異常を良好に発見できる温水タンクの設置構造を提供せんことを目的とし、その第１の要旨は、通常圧力で作動する安全装置を備え、浴槽エプロンの裏側に設置される温水タンクにおいて、前記安全装置からの逃がし湯が、前記エプロンの反対側へ噴出されるように設置したことである。
また、第２の要旨は、異常圧力で作動する安全装置を備え、浴槽エプロンの裏側に設置される温水タンクにおいて、前記安全装置からの逃がし湯が、前記エプロン側へ噴出されるように設置したことである。
また、第３の要旨は、浴槽ユニットの床または壁に開口部または凹部を設け、該開口部または凹部に、圧力に対する安全装置を備えた温水タンクの一部または全部が挿入される温水タンクの設置構造において、前記開口部または凹部は、中心軸線に対し左右対称形をなす平面形状に形成されているとともに、前記温水タンクの安全装置は、前記開口部または凹部の平面と直交する前記中心軸線上の面に対し左右対称な方向に向くように設けられていることである。
【０００４】
【実施例】
以下、本発明の実施例を図面に基づいて説明する。
先ず図１おいて、浴室ユニットの底面を形成する防水パンの平面図を示すが、図１のように防水パンには、浴槽を設置するための浴槽設置面２Ａと、洗い場面２Ｂが形成されて、浴槽設置面２Ａの洗い場面２Ｂ側には、エプロンを立設させるエプロン載置部２Ｃが形成されており、このエプロン載置部２Ｃの浴槽設置面２Ａ側の左右にはそれぞれ開口部３Ａ，３Ｂが形成されて、それぞれの開口部３Ａ，３Ｂは、中心軸線Ｃに対し左右対称な形状に開口形成されたものとなっており、この左右の開口部３Ａまたは３Ｂの何れか側が現場で選択されて、何れか側の開口部３Ａ，３Ｂに挿入状に温水タンクが設置されるものである。
【０００５】
温水タンクの設置状態の概略平面図を図２に示すが、温水タンクは浴槽４の左右の何れか側に現場の状況に応じて設置されるものであり、何れの場合にも、エプロン載置部２Ｃ上に立設されるエプロン５の裏側に隠蔽状に設置されるものである。
【０００６】
温水タンクは図３の断面図で、また図４の外観斜視図で示すように構成されており、ヒーターを備えた温水タンク６は、その外周に断熱材７が巻着され、外側の上下に分割できる上カバー８と下カバー９に包囲されており、下カバー９を図３に示すように、前記防水パン２の何れか側の開口部３Ａ，３Ｂに挿入させて水密状に固定させ、上方側より上カバー８が被せられて設置されるものであり、上カバー８の上面側には、前記中心軸線Ｃに沿って上部配管１３が配設されており、この上部配管１３が、温水タンク６の上端に接続されて上カバー８から上方へ突出する継手金具１０に接続金具１１を介して接続されており、この上部配管１３の図３における左端側には、中心軸線Ｃに沿って突出状に過圧逃がし弁１２が設けられており、また、上部配管１３には浴室の水洗金具などへ湯を導く出管部１４が設けられ、その右端側にも、中心軸線Ｃに沿って突出状に過圧逃がし弁１５が設けられたものとなっている。
【０００７】
前記過圧逃がし弁１２は、通常時、例えば０．９ＭＰａの圧力で作動し、温水タンク６内の高温水を噴出して逃がすことができるように設定されており、また右端側の過圧逃がし弁１５は、異常時に１．５ＭＰａで作動して高温水を噴出できるように設定されている。
なお、この過圧逃がし弁１５側の上部配管１３には、回動管１６の上端がクイックワッシャ１７を介在させて回動可能に垂直状に接続されており、回動管１６の下端側は、同様にクイックワッシャ１７を介して、上カバー８に固定された継手金具１９に接続されている。
また、継手金具１９には、下カバー９の内部に配管された下部配管２０の上端が接続され、下部配管２０の下端側は、温水タンク６の下面に接続エルボ２１を介し接続されている。
【０００８】
このような構造の温水タンクを、図２に示すように左右何れか側の開口部３Ａ，３Ｂに設置する場合に、何れの場合にも、前記上部配管１３は、開口部３Ａ，３Ｂのそれぞれの中心軸線Ｃに沿って配置され、前記過圧逃がし弁１２が、エプロン５に対し反対側に突出し、前記過圧逃がし弁１５が、エプロン５側を向くように設置されるものである。
【０００９】
この図２に示すような温水タンクの設置状態では、温水タンク６内が所定圧力に達すると前記過圧逃がし弁１２が作動して、過圧逃がし弁１２から高温の湯が噴出されるが、この噴出方向はエプロン５に対し反対側であり、通常時にエプロン５側へ高温の湯が噴出されることはなく、従って、手入れの際とか、メンテナンスの際に、エプロン５側へ高温水が噴出されて、火傷などする危険性がなくなり、安全にメンテナンス等ができるものとなる。
【００１０】
なお、温水タンク６内に異常圧力が発生した時には、過圧逃がし弁１５が作動して、過圧逃がし弁１５から高温水が噴出されるが、この噴出方向はエプロン５の端側であり、エプロン５側からメンテナンスを行う際に、過圧逃がし弁１５から噴出されている湯を確認できて、異常圧力が生じていることを確実に知ることができ、適正な修理等を施すことができるものとなる。
【００１１】
このように、通常圧力時に作動する過圧逃がし弁１２から噴出される高温の湯はエプロン５側に噴出しないようにし、逆に、異常圧力時に噴出される湯はエプロン５側へ噴出されるように設置して、安全性とメンテナンス性を良好に達成することができるものとなり、本例では、過圧逃がし弁１２，１５は中心軸線Ｃ上に配置されるものであり、左側の開口部３Ａまたは右側の開口部３Ｂの何れか側に設置した場合でも、過圧逃がし弁１２はエプロン５と反対側に湯を噴出させ、過圧逃がし弁１５はエプロン５側へ湯を噴出できるものとなる。
【００１２】
なお、このような過圧逃がし弁１２，１５を、例えば、前記回動管１６の部位に設ければ、左右何れか側の開口部３Ａ，３Ｂに設置する際にも、左右何れか側へ回動させ、対応させることができるものとなる。
なお、さらに過圧逃がし弁１２，１５を、上部配管１３に対し左右側にそれぞれ２個ずつ設けた構造としておいても、左右の何れか側への設置状況に応じて良好に対応することができるものとなる。
【００１３】
【発明の効果】
本発明は、通常圧力で作動する安全装置を備え、浴槽エプロンの裏側に設置される温水タンクにおいて、前記安全装置からの逃がし湯が、前記エプロンの反対側へ噴出されるように設置したことにより、メンテナンス等を行う際に、安全装置から噴出される湯で火傷等を負う危険性が全くなくなり、安全にメンテナンス等を行うことができる。
【００１４】
また、異常圧力で作動する安全装置を備え、浴槽エプロンの裏側に設置される温水タンクにおいて、前記安全装置からの逃がし湯が、前記エプロン側へ噴出されるように設置したことにより、エプロン側から温水タンクが異常圧力になっていることを確実に知ることができ、良好に対応した処理を行うことができる効果を有する。
【００１５】
また、浴槽ユニットの床または壁に開口部または凹部を設け、該開口部または凹部に、圧力に対する安全装置を備えた温水タンクの一部または全部が挿入される温水タンクの設置構造において、前記開口部または凹部は、中心軸線に対し左右対称形をなす平面形状に形成されているとともに、前記温水タンクの安全装置は、前記開口部または凹部の平面と直交する前記中心軸線上の面に対し左右対称な方向に向くように設けられていることにより、浴室の左または右の何れか側へ設置する場合にも、良好に安全装置を作動させることができるものとなり、現場に対応して、左右の何れか側にも温水タンクの設置が可能となる。
【図面の簡単な説明】
【図１】浴室ユニットの底面を構成する防水パンの平面構成図である。
【図２】図１の防水パン上に浴槽及び温水タンクを設置した状態の概略平面構成図である。
【図３】温水タンクの縦断面構成図である。
【図４】図３の外観斜視図である。
【符号の説明】
１    浴室ユニット
２    防水パン
２Ｃ    エプロン載置部
３Ａ，３Ｂ    開口部
４    浴槽
５    エプロン
６    温水タンク
８    上カバー
９    下カバー
１０    継手金具
１１    接続金具
１２，１５    過圧逃がし弁
１３    上部配管
１６    回動管
Ｃ    中心軸線
【図１】
0003574999.tif 000002
【図２】
0003574999.tif 000003
【図３】
0003574999.tif 000004
【図４】
0003574999.tif 000005